(57)【要約】【課題】  横位置撮影のときも縦位置撮影のときも被写体に適切にストロボ光を照射することができるストロボ装置の提供。【解決手段】  本考案に係るストロボ装置１は、カメラＣに外付けされるストロボ装置１であって、ストロボ本体部２にアーム部３を介して公転可能に支持されると共に該アーム部３の先端部３ａで自転可能に支持された発光ケース部４を有し、該発光ケース部４は長方形状の発光面４ａを備え、横位置撮影のときには上記発光ケース部４をレンズＬの真上の位置まで公転させつつ当該位置において上記発光面４ａが横長となるように自転させる一方、縦位置撮影のときには上記発光ケース部４をレンズＬの真上の位置まで公転させつつ当該位置において上記発光面４ａが縦長となるように自転させることを特徴とする。【選択図】  図１
0003208204.tif 000002
【実用新案登録請求の範囲】
【請求項１】
カメラに外付けされるストロボ装置であって、ストロボ本体部にアーム部を介して公転可能に支持されると共に該アーム部の先端部で自転可能に支持された発光ケース部を有し、該発光ケース部は長方形状の発光面を備え、横位置撮影のときには上記発光ケース部をレンズの真上の位置まで公転させつつ当該位置において上記発光面が横長となるように自転させる一方、縦位置撮影のときには上記発光ケース部をレンズの真上の位置まで公転させつつ当該位置において上記発光面が縦長となるように自転させることを特徴とするストロボ装置。
【請求項２】
横位置撮影のときの上記発光ケース部の位置がカメラ上部と離間していると共に、縦位置撮影のときの上記発光ケース部の位置がカメラ側部と離間していることを特徴とする請求項１記載のストロボ装置。
【請求項３】
上記横位置撮影のときの上記発光ケース部の位置よりもカメラ上部寄りに該発光ケース部を公転させると発光スイッチがオフとなると共に、上記縦位置撮影のときの上記発光ケース部の位置よりも該発光ケース部をカメラ側部寄りに公転させると発光スイッチがオフとなることを特徴とする請求項２記載のストロボ装置。
【請求項４】
横位置撮影のときの上記発光ケース部の位置がカメラ上部と近接していると共に、縦位置撮影のときの上記発光ケース部の位置がカメラ側部と近接していることを特徴とする請求項１記載のストロボ装置。
【請求項５】
カメラに内蔵されるストロボ装置であって、カメラに内蔵されたストロボ本体部に接続すると共にカメラに回動可能に支持される発光ケース部を有し、該発光ケース部は長方形状の発光面を備え、該発光面は上記発光ケース部の回動により隠顕可能であり、縦位置撮影のときには上記発光ケース部を回動させて上記発光面をレンズの真上の位置に縦長となるように現出させることを特徴とするストロボ装置。
【考案の詳細な説明】
【技術分野】
【０００１】
本考案はカメラに外付け又は内蔵されて、撮影時に被写体を照射するストロボ装置に関するものである。
【背景技術】
【０００２】
報道現場、例えば記者会見の場では、横位置撮影にて全体を撮影し、次いで、発話者の上半身を縦位置撮影にて撮影するような、横位置撮影と縦位置撮影とを適宜切り替えながら撮影することが必要となる。
【０００３】
しかしながら、一般的なストロボ装置は横位置撮影のときを想定して取り付けられており、縦位置撮影のときを想定していない。
【０００４】
すなわち、ストロボ装置が備える長方形状の発光面が横位置に構えたカメラのレンズの真上に横長に配置されており、横位置撮影のときにはレンズの撮影対象範囲に対し発光面の照射範囲が適度に上ズレし被写体（人物等）の影が写りこみ難いが、縦位置撮影のときにはカメラを縦位置に構えるので必然的に発光面がレンズの真横に縦長に配置されることとなり、レンズの撮影対象範囲に対し発光面の照射範囲が横ズレし被写体に斜め横からストロボ光を照射することとなって、被写体の影がはっきりと写りこむこととなってしまう。
【０００５】
特に報道写真は、新聞写真のように白黒で且つ解像度の低い写真として掲載されることが多く、被写体の影が写りこむと当該被写体の輪郭がぼやけてしまい、著しく見栄えの悪い写真となってしまう。
【０００６】
また、縦位置撮影用の位置にストロボ装置を取り付けることができる専用ブラケットが市販されているが、記者会見等の限られた時間の中で横位置撮影と縦位置撮影とを切替ねばならない報道現場においては、取り付け作業が煩雑となるため現実的ではない。
【０００７】
そこで本願出願人は、下記特許文献１に示すストロボ装置を開発し、横位置撮影と縦位置撮影とで発光面の位置を変更可能にした。
【０００８】
下記特許文献１のストロボ装置は、カメラに外付けされることを前提として、ストロボ本体部に回動可能に支持された発光ケース部と、該発光ケース部の前面に存する長方形状の発光面を備えた構成を有している。
【０００９】
そして、下記特許文献１のストロボ装置によれば、横位置撮影のときにも縦位置撮影のときにも発光面をレンズの真上の位置まで回動させることができ、被写体の影の写りこみが少ない写真を撮影することができる。
【先行技術文献】
【特許文献】
【００１０】
【特許文献１】実開昭５０−７４４４号公報
【考案の概要】
【考案が解決しようとする課題】
【００１１】
既述のとおり、上記特許文献１のストロボ装置によれば、横位置撮影のときにも縦位置撮影のときにも被写体の影の写り込みが少ない写真を撮影することができる。但し、縦位置撮影のときには撮影対象範囲が縦長なのに対して発光面が横長に配されており、撮影対象範囲と照射範囲が噛み合わない。
【００１２】
本考案は、上記特許文献１のストロボ装置の利点を活かしつつ、さらに被写体に効果的にストロボ光を照射することができるようにしたものである。
【課題を解決するための手段】
【００１３】
要述すると、本考案に係るストロボ装置は、カメラに外付けされるストロボ装置であって、ストロボ本体部にアーム部を介して公転可能に支持されると共に該アーム部の先端部で自転可能に支持された発光ケース部を有し、該発光ケース部は長方形状の発光面を備え、横位置撮影のときには上記発光ケース部をレンズの真上の位置まで公転させつつ当該位置において上記発光面が横長となるように自転させる一方、縦位置撮影のときには上記発光ケース部をレンズの真上の位置まで公転させつつ当該位置において上記発光面が縦長となるように自転させることよって、横位置撮影のときも縦位置撮影のときも、被写体に適切にストロボ光を照射することができる。
【００１４】
好ましくは、横位置撮影のときの上記発光ケース部の位置がカメラ上部と離間していると共に、縦位置撮影のときの上記発光ケース部の位置がカメラ側部と離間している構成とする。
【００１５】
加えて、上記横位置撮影のときの上記発光ケース部の位置よりもカメラ上部寄りに該発光ケース部を公転させると発光スイッチがオフとなると共に、上記縦位置撮影のときの上記発光ケース部の位置よりも該発光ケース部をカメラ側部寄りに公転させると発光スイッチがオフとなる構成とする。
【００１６】
又は、横位置撮影のときの上記発光ケース部の位置がカメラ上部と近接していると共に、縦位置撮影のときの上記発光ケース部の位置がカメラ側部と近接している構成とすることも可能である。
【００１７】
また、本考案に係るストロボ装置は、カメラに内蔵されるストロボ装置であって、カメラに内蔵されたストロボ本体部に接続すると共にカメラに回動可能に支持される発光ケース部を有し、該発光ケース部は長方形状の発光面を備え、該発光面は上記発光ケース部の回動により隠顕可能であり、縦位置撮影のときには上記発光ケース部を回動させて上記発光面をレンズの真上の位置に縦長となるように現出させることができる。
【考案の効果】
【００１８】
本考案に係るストロボ装置によれば、横位置撮影のときにも縦位置撮影のときにも発光面をレンズの真上に配することができ、いずれのときにも被写体の影の写り込みが少ない写真を撮影することができる。
【００１９】
加えて、横位置撮影のときには横長に発光面を配することができ、縦位置撮影のときには縦長に発光面を配することができ、いずれのときにもレンズの撮影対象範囲に合わせて適切にストロボ光を照射することができる。
【図面の簡単な説明】
【００２０】
【図１】実施例１のストロボ装置を示す図であり、（Ａ）は横位置撮影のときの発光ケース部の配置を示す正面図、（Ｂ）は縦位置撮影のときの発光ケース部の配置を示す正面図。
【図２】実施例１のストロボ装置を示す図であり、（Ａ）は横位置撮影のときの発光ケース部の配置を示す上面図、（Ｂ）は縦位置撮影のときの発光ケース部の配置を示す側面図。
【図３】発光スイッチがＯＦＦとなる場合の発光ケース部の配置を示す正面図。
【図４】実施例２のストロボ装置を示す図であり、（Ａ）は横位置撮影のときの発光ケース部の配置を示す正面図、（Ｂ）は縦位置撮影のときの発光ケース部の配置を示す正面図。
【図５】実施例２のストロボ装置を示す図であり、（Ａ）は横位置撮影のときの発光ケース部の配置を示す上面図、（Ｂ）は縦位置撮影のときの発光ケース部の配置を示す側面図。
【図６】（Ａ）は既存の内蔵ストロボ装置を使用した横位置撮影のときの実施例３に係る発光ケース部の配置を示す正面図、（Ｂ）は縦位置撮影のときに現出した実施例３に係る発光ケース部の配置を示す正面図。
【考案を実施するための形態】
【００２１】
以下、本考案に係るストロボ装置１の最良の形態について図１乃至図６に基づき説明する。なお、後記する実施例１，２のストロボ装置１は、実際には図１（Ａ）に示すように、先端にホットシューとの接続部２２ａを有するコード２２を介してホットシューと接続しているが、説明の便宜上、他の図（図１（Ｂ），図２乃至図５）ではコード２２を省略している。
【実施例１】
【００２２】
本考案の実施例１に係るストロボ装置１は、図１，図２に示すように、カメラＣに外付けされることを前提とするものである。
【００２３】
例えば、図示のように、横片部１１ａと縦片部１１ｂとから成るＬ字状の金属製又は合成樹脂製のブラケット１１でカメラの側方に外付けする。すなわち、ブラケット固定ねじ１３でカメラＣにブラケット１１を取り付け、該取り付けたブラケット１１の横片部１１ａと縦片部１１ｂにそれぞれストロボ固定ねじ１２を介してストロボ装置１のストロボ本体部２を固定する。
【００２４】
ブラケット１１には上記ストロボ固定ねじ１２及び上記ブラケット固定ねじ１３の軸部を挿通するための貫通孔が穿設されており、特に上記ブラケット固定ねじ１３の軸部を挿通する貫通孔を長孔状とすれば、カメラＣ本体の幅に応じてブラケット１１を左右方向に調整することができる。また、カメラＣには上記ブラケット固定ねじ１３の軸部と螺合するねじ孔（例えば三脚取付用ねじ孔）が穿設されており、ストロボ本体部２には上記ストロボ固定ねじ１２の軸部と螺合するネジ孔が穿設されている。
【００２５】
なお、ブラケット１１の縦片部１１ｂの上端部にストラップのフックを固定する金具１６を設け、該金具１６とカメラＣに予め設けられている金具１４にそれぞれストラップ１５のフックを固定すれば、簡単にストラップ１５を取り付けることができると共にカメラＣ及びストロボ装置１を安定してぶら下げることができる。
【００２６】
上記のように外付けされた本実施例に係るストロボ装置１は、ストロボ本体部２と、該ストロボ本体部２に回転可能に基端部３ｂを軸支された金属製又は合成樹脂製のアーム部３と、該アーム部３の先端部３ａに回転可能に軸支された発光ケース部４とを有している。つまり、発光ケース部４はストロボ本体部２にアーム部３を介して公転可能に支持されると共に該アーム部３の先端部３ａで自転可能に支持されている。アーム部３は棒状又は板状の中空部材であり、内部に電源ケーブル等の各種ケーブルを配線する役割をも担っている。
【００２７】
上記した構成の本実施例に係るストロボ装置１においては、横位置撮影のときには、図１（Ａ），図２（Ａ）に示すように、発光ケース部４をカメラＣのレンズＬの真上の位置まで公転させつつ当該位置において発光面４ａが横長となるように自転させれば、被写体に適切にストロボ光を照射することができ、影が写り込み難くなる。
【００２８】
一方、縦位置撮影のときには、図１（Ｂ），図２（Ｂ）に示すように、発光ケース部４をレンズＬの真上の位置まで公転させつつ当該位置において発光面４ａが縦長となるように自転させることよって、被写体に適切にストロボ光を照射することができ、影が写り込み難くなる。
【００２９】
発光ケース部４の公転の中心、すなわち発光ケース部４を公転させるアーム部３の基端部３ｂの軸支中心は、図１（Ａ）に示すように、横位置のカメラＣにおけるレンズＬの中心を通る水平線に対し角度θ傾いた線状に設定する。例えば角度θを４５度に設定すれば、図１に示すように、横位置撮影のときと縦位置撮影のときとで発光ケース部４を１８０度公転させるだけでよく、自転させなくとも適正位置に発光ケース部４を配置し発光面４ａを適正な向きに配することができる。
【００３０】
また、ストロボ本体部２内に、既知の加速度センサー（縦横センサー）等の傾きを検知するセンサーを内蔵すると共に、発光ケース部４の公転と自転を個々に制御する既知のモータ等の駆動装置を内蔵し、該駆動装置と上記センサーを連動させて、ストロボ装置１の傾きによって横位置撮影か縦位置撮影かを判断し、自動的に適正位置に発光ケース部４を配置し発光面４ａを適正な向きに配することができる。
【００３１】
本実施例にあっては、アーム部３を長くすることにより、横位置撮影のときの発光ケース部４の位置がカメラＣの上部と離間していると共に、縦位置撮影のときの発光ケース部４の位置がカメラＣの側部と離間している。このように横位置撮影のときも縦位置撮影のときも発光ケース部４がカメラＣから離間していることにより、ディフューザー等のアクセサリー機器を取り付けることも可能である。
【００３２】
加えて、図３に示すように、既述した横位置撮影のときの発光ケース部４の位置よりもカメラＣの上部寄りに該発光ケース部４を公転させると発光スイッチがオフとなると共に、既述した縦位置撮影のときの発光ケース部４の位置よりも該発光ケース部４をカメラＣの側部寄りに公転させると発光スイッチがオフとなるように構成することができる。また、このように発光ケース部４をカメラＣ側に近づけることにより不使用時にコンパクトにすることができ、さらにアーム部３を既知のテレスコピックパイプ等の伸縮構造とすれば、よりコンパクトにすることができる。
【００３３】
なお、本実施例においては、カメラＣの左側方にストロボ装置１を外付けした場合について図示したが、本考案はこれに限らずカメラＣの右側方に外付けすることや上方に外付けすることも実施に応じ任意である。また、外付けはブラケット１１を介さず行うこともできる。例えばカメラＣ側に予めねじ孔を設け、該ねじ孔に螺合する部材をストロボ装置１側に設けて、当該螺合によりストロボ装置１をカメラＣに外付けすることができる。
【実施例２】
【００３４】
図４，図５に示すように、本考案の実施例２係るストロボ装置１は、実施例１と同様にカメラＣに外付けされることを前提とするものである。ブラケット１１の構造及びブラケット１１による外付けについては、実施例１と同様であるので、実施例１における記載を援用する。
【００３５】
本実施例に係るストロボ装置１も、実施例１と同様に、ストロボ本体部２と、該ストロボ本体部２に回転可能に基端部３ｂを軸支された金属製又は合成樹脂製のアーム部３と、該アーム部３の先端部３ａに回転可能に軸支された発光ケース部４とを有しており、発光ケース部４はストロボ本体部２にアーム部３を介して公転可能に支持されると共に該アーム部３の先端部３ａで自転可能に支持されている。また、本実施例にあっても、アーム部３は棒状又は板状の中空部材であり、内部に電源ケーブル等の各種ケーブルを配線する役割をも担っている。
【００３６】
したがって、本実施例に係るストロボ装置１においても、横位置撮影のときには、図４（Ａ），図５（Ａ）に示すように、発光ケース部４をカメラＣのレンズＬの真上の位置まで公転させつつ当該位置において発光面４ａが横長となるように自転させれば、被写体に適切にストロボ光を照射することができ、影が写り込み難くなる一方、縦位置撮影のときには、図４（Ｂ），図５（Ｂ）に示すように、発光ケース部４をレンズＬの真上の位置まで公転させつつ当該位置において発光面４ａが縦長となるように自転させることよって、被写体に適切にストロボ光を照射することができ、影が写り込み難くなる。
【００３７】
実施例１と異なる点は、アーム部３の長さが実施例１のアーム部３よりも短く、横位置撮影のときの発光ケース部４の位置がカメラＣの上部と近接していると共に、縦位置撮影のときの発光ケース部４の位置がカメラＣの側部と近接している点にある。このように横位置撮影のときも縦位置撮影のときも発光ケース部４がカメラＣに近接していることにより、コンパクトにカメラＣを構えることができる。
【００３８】
また、発光ケース部４の公転の中心、すなわち発光ケース部４を公転させるアーム部３の基端部３ｂの軸支中心は、図４（Ａ）に示すように、横位置のカメラＣにおけるレンズＬの中心を通る水平線に対し角度θ傾いた線状に設定する。例えば角度θを４５度に設定すれば、図４に示すように、横位置撮影のときと縦位置撮影のときとで発光ケース部４を２７０度公転させ、９０度自転させることにより、適正位置に発光ケース部４を配置し発光面４ａを適正な向きに配することができる。
【００３９】
また、本実施例においても、ストロボ本体部２内に、既知の加速度センサー（縦横センサー）等の傾きを検知するセンサーを内蔵すると共に、発光ケース部４の公転と自転を個々に制御する既知のモータ等の駆動装置を内蔵し、該駆動装置と上記センサーを連動させて、ストロボ装置１の傾きによって横位置撮影か縦位置撮影かを判断し、自動的に適正位置に発光ケース部４を配置し発光面４ａを適正な向きに配することができる。
【００４０】
なお、本実施例においては、カメラＣの左側方にストロボ装置１を外付けした場合について説明したが、本考案はこれに限らずカメラＣの右側方に外付けすることも実施に応じ任意である。また、本実施例においても、実施例１と同様にストロボ装置１の外付けはブラケット１１を介さず行うこともできる。
【実施例３】
【００４１】
本考案の実施例３に係るストロボ装置１は、図６（Ｂ）に示すように、カメラＣに内蔵されることを前提とするものであり、縦位置撮影時に使用する。なお、横位置撮影は図６（Ａ）に示すように、既存内蔵ストロボ装置２１にて対応する。本実施例に係るストロボ装置１は、カメラＣに内蔵されたストロボ本体部（図示せず）に接続すると共にカメラＣの側部の凹所に回動可能に支持される発光ケース部４を有し、該発光ケース部４は長方形状の発光面４ａを備えている。
【００４２】
発光面４ａは発光ケース部４の回動により隠顕可能であり、図６（Ａ）に示すように、横位置撮影のときにはカメラＣの凹所内に隠される一方、図６（Ｂ）に示すように、縦位置撮影のときには発光ケース部４を９０度回動させて発光面４ａをレンズの真上の位置に縦長となるように現出（露出）させることができる。
【００４３】
また、上記発光面４ａを露出させるための発光ケース部４の回動は、バネ等の付勢手段によって行うことができる。また、回動のタイミングは、傾きを検知するセンサー等で自動に行っても良く、ボタン等で手動で行っても良い。
【符号の説明】
【００４４】
１…ストロボ装置、２…ストロボ本体部、３…アーム部、３ａ…先端部、３ｂ…基端部、４…発光ケース部、４ａ…発光面、１１…ブラケット、１１ａ…横片部、１１ｂ…縦片部、１２…ストロボ固定ねじ、１３…ブラケット固定ねじ、１４…ストラップフック用金具、１５…ストラップ、１６…ストラップフック用金具、２１…既存内蔵ストロボ、２２…コード、２２ａ…接続部、Ｃ…カメラ、Ｌ…レンズ。
【図１】
0003208204.tif 000003
【図２】
0003208204.tif 000004
【図３】
0003208204.tif 000005
【図４】
0003208204.tif 000006
【図５】
0003208204.tif 000007
【図６】
0003208204.tif 000008